(57)【要約】【課題】  データ駆動部の出力線数を減少させることのできる発光表示装置及び発光表示装置の駆動方法を提供する。【解決手段】  １水平期間の第１期間中に走査線に走査信号を供給するための走査駆動部１１０と，複数の出力線（Ｄ１〜Ｄｍ／ｉ）を有し，１水平期間の第１期間以外の第２期間中に，各々の出力線に複数のデータ信号を供給するためのデータ駆動部１２０と，各々の出力線上に設けられ，出力線に供給された複数のデータ信号を複数のデータ線（ＤＬ１〜ＤＬｍ）に各々供給するための複数のデマルチプレクサー１６２と，走査線とデータ線とにより区画された領域に位置する複数の画素を有する画像表示部１３０と，各々のデータ線に接続され，データ線に供給されるデータ信号に対応する電圧を充電するためのキャパシタＣｄａｔａと，を備える。【選択図】    図２
2006065286.tif 000002
【特許請求の範囲】
【請求項１】
１水平期間の第１期間中に走査線に走査信号を供給するための走査駆動部と，
複数の出力線を有し，前記１水平期間の前記第１期間以外の第２期間中に，各々の前記出力線に複数のデータ信号を供給するためのデータ駆動部と，
各々の前記出力線上に設けられ，前記出力線に供給された前記複数のデータ信号を複数のデータ線に各々供給するための複数のデマルチプレクサーと，
前記走査線と前記データ線とにより区画された領域に位置する複数の画素を有する画像表示部と，
各々の前記データ線に接続され，前記データ線に供給される前記データ信号に対応する電圧を充電するためのキャパシタと，
を備えることを特徴とする，発光表示装置。
【請求項２】
各々の前記画素は，複数のトランジスタを有し，前記トランジスタの少なくとも１つはダイオード素子として動作するように接続されることを特徴とする，請求項１に記載の発光表示装置。
【請求項３】
前記画素に前記データ信号が供給されるときは，ダイオード素子として動作するように接続された前記トランジスタに順方向バイアス電圧が印加されるように，初期化電源を前記トランジスタに印加することを特徴とする，請求項２に記載の発光表示装置。
【請求項４】
各々の前記デマルチプレクサーは，複数の前記データ線の各々に接続される複数のスイッチング素子を有することを特徴とする，請求項１〜３のいずれかに記載の発光表示装置。
【請求項５】
前記第２期間中に，複数の前記スイッチング素子を順次ターンオンさせるため，各々の前記スイッチング素子に制御信号を供給するためのデマルチプレクサー制御部をさらに備えることを特徴とする，請求項４に記載の発光表示装置。
【請求項６】
複数の前記スイッチング素子が順次ターンオンされるときは，前記データ信号に対応する電圧が前記キャパシタに順次貯蔵され，前記キャパシタに貯蔵された電圧は，前記第１期間中に前記画素に供給されることを特徴とする，請求項４または５に記載の発光表示装置。
【請求項７】
前記データ駆動部は，前記第１期間中に，各々の前記出力線に，輝度に寄与しないダミーデータ信号を供給することを特徴とする，請求項６に記載の発光表示装置。
【請求項８】
ｋ番目（ｋは自然数）の水平期間の前記第１期間中に供給された前記ダミーデータ信号は，ｋ−１番目の水平期間の前記第２期間に供給された最後のデータ信号であることを特徴とする，請求項７に記載の発光表示装置。
【請求項９】
前記キャパシタは，前記データ線のそれぞれに等価的に形成される寄生キャパシタであることを特徴とする，請求項１〜８のいずれかに記載の発光表示装置。
【請求項１０】
前記キャパシタは，前記データ線のそれぞれに，さらに設けられる外部キャパシタであることを特徴とする，請求項１〜８のいずれかにに記載の発光表示装置。
【請求項１１】
前記画素は，
発光素子と，
前記データ信号に応じて，前記発光素子に供給される電流を制御するための第1トランジスタと，
前記第1トランジスタに接続され，前記データ信号に対応する電圧を充電するためのストレージキャパシタと，
ｎ番目（ｎは自然数）の走査線とｎ番目のデータ線とに接続され，前記データ線から供給される前記データ信号を前記ストレージキャパシタに伝達するための第２トランジスタと，
を備えることを特徴とする，請求項２〜１０のいずれかに記載の発光表示装置。
【請求項１２】
前記キャパシタの容量は，前記ストレージキャパシタの容量より大きく設定されることを特徴とする，請求項１１に記載の発光表示装置。
【請求項１３】
前記画素は，
前記第２トランジスタと前記第１トランジスタとの間に接続され，ゲート端子とドレイン端子が電気的に接続される第３トランジスタと，
ｎ−１番目の走査線により制御され，前記第３トランジスタ及び前記初期化電源に接続される第４トランジスタと，
前記ｎ−１番目の走査線により制御され，前記発光素子及び前記第１トランジスタに接続される第５トランジスタと，
をさらに備えることを特徴とする，請求項１１または１２に記載の発光表示装置。
【請求項１４】
前記画素は，
前記ｎ番目の走査線と前記第１トランジスタのゲート端子及びドレイン端子とに接続される第６トランジスタと，
発光制御線により制御される第７トランジスタ及び第８トランジスタと，
ｎ−１番目の走査線にゲート端子及びドレイン端子が接続され，ソース端子が前記第１トランジスタのゲート端子に接続される第９トランジスタと，
をさらに備えることを特徴とする，請求項１１または１２に記載の発光表示装置。
【請求項１５】
１水平期間の第１期間中に走査線に走査信号を供給する段階と，
前記１水平期間の前記第１期間以外の第２期間中にデータ駆動部の各々の出力線に複数のデータ信号を供給する段階と，
前記出力線に接続された複数のスイッチング素子が前記第２期間中に順次ターンオンされて，複数のデータ線に前記データ信号を伝達する段階と，
各々の前記データ線に接続されたキャパシタに，前記データ信号に対応する電圧を充電する段階と，
を含むことを特徴とする，発光表示装置の駆動方法。
【請求項１６】
前記第２期間中に前記キャパシタに充電された電圧は，前記第２期間につながる前記第１期間中に前記走査線及び前記データ線に接続される画素に供給されることを特徴とする，請求項１５に記載の発光表示装置の駆動方法。
【請求項１７】
前記第１期間中に，前記データ駆動部の各々の前記出力線に，輝度に寄与しないダミーデータ信号を供給する段階をさらに含むことを特徴とする，請求項１５または１６に記載の発光表示装置の駆動方法。
【請求項１８】
ｋ番目（ｋは自然数）の水平期間の前記第１期間中に供給された前記ダミーデータ信号は，ｋ−１番目の水平期間の前記第２期間に供給された最後のデータ信号であることを特徴とする，請求項１７に記載の発光表示装置の駆動方法。
【請求項１９】
前記キャパシタは，前記データ線のそれぞれに等価的に形成される寄生キャパシタであることを特徴とする，請求項１５〜１８のいずれかに記載の発光表示装置の駆動方法。
【請求項２０】
前記キャパシタは，前記データ線のそれぞれに，さらに設けられる外部キャパシタであることを特徴とする，請求項１５〜１８のいずれかに記載の発光表示装置の駆動方法。
【請求項２１】
前記キャパシタの容量は，各々の前記画素に含まれるストレージキャパシタの容量より大きく設定されることを特徴とする，請求項１６〜２０のいずれかに記載の発光表示装置の駆動方法。
【請求項２２】
走査信号が供給される複数の走査線とデータ信号が供給される複数のデータ線との交差領域に，各々画素が形成される発光表示装置の駆動方法において；
各々の前記データ線に接続されたキャパシタに，データ信号に対応する電圧を充電する段階と，
各々の前記キャパシタに充電された電圧を前記画素に同時に供給する段階と，
を含むことを特徴とする，発光表示装置の駆動方法。
【請求項２３】
前記キャパシタは，前記１水平期間の前記第１期間に，前記データ信号に対応する電圧を充電することを特徴とする，請求項２２に記載の発光表示装置の駆動方法。
【請求項２４】
各々の前記画素は，前記１水平期間の前記第２期間に，前記キャパシタに充電された電圧を受けることを特徴とする，請求項２２または２３に記載の発光表示装置の駆動方法。
【発明の詳細な説明】
【技術分野】
【０００１】
本発明は，走査線とデータ線との交差領域に画素が形成される発光表示装置及び発光表示装置の駆動方法に関するものである。
【背景技術】
【０００２】
最近，陰極線管（Ｃａｔｈｏｄｅ  Ｒａｙ  Ｔｕｂｅ）の欠点である大重量，及び大体積を減らし得る各種の平板表示装置が開発されている。平板表示装置としては，液晶表示装置（Ｌｉｑｕｉｄ  Ｃｒｙｓｔａｌ  Ｄｉｓｐｌａｙ），電界放出表示装置（Ｆｉｅｌｄ  Ｅｍｉｓｓｉｏｎ  Ｄｉｓｐｌａｙ），プラズマ表示パネル（Ｐｌａｓｍａ  Ｄｉｓｐｌａｙ  Ｐａｎｅｌ），及び発光表示装置（Ｌｉｇｈｔ  Ｅｍｉｔｔｉｎｇ  Ｄｉｓｐｌａｙ）などがある。
【０００３】
平板表示装置のうち，発光表示装置は，電子と正孔の再結合により光を発生する自発光素子である。かかる発光表示装置は，速い応答速度を有するとともに，低消費電力で駆動される利点がある。一般の発光表示装置は，画素ごとに形成される駆動薄膜スイッチング素子（Ｔｈｉｎ  Ｆｉｌｍ  Ｔｒａｎｓｉｓｔｏｒ：ＴＦＴ）により，データ信号に対応する電流を発光素子に供給することにより，発光素子から光が発光するようにする。
【０００４】
図１は従来の一般的な発光表示装置を示す図である。図１に示すように，従来の発光表示装置は，走査線ＳＳ１〜ＳＳｎとデータ線ＳＤ１〜ＳＤｍとの交差領域に形成される画素４０を有する画像表示部３０と，走査線ＳＳ１〜ＳＳｎを駆動するための走査駆動部１０と，データ線ＳＤ１〜ＳＤｍとを駆動するためのデータ駆動部２０と，走査駆動部１０及びデータ駆動部２０を制御するためのタイミング制御部５０とを備える。
【０００５】
走査駆動部１０は，タイミング制御部５０からの走査駆動制御信号ＳＳＣＳに応じて走査信号を生成し，生成された走査信号を走査線ＳＳ１〜ＳＳｎに順次供給する。また，走査駆動部１０は，走査駆動制御信号ＳＳＣＳに応じて発光制御信号を生成し，生成された発光制御信号を発光制御線ＳＥ１〜ＳＥｎに順次供給する。
【０００６】
データ駆動部２０は，タイミング制御部５０からのデータ駆動制御信号ＳＤＣＳに応じてデータ信号を生成し，生成されたデータ信号をデータ線ＳＤ１〜ＳＤｍに供給する。この際，データ駆動部２０は，１水平期間に１水平ライン分のデータ信号をデータ線ＳＤ１〜ＳＤｍに供給する。
【０００７】
タイミング制御部５０は，外部から供給される同期信号に応じてデータ駆動制御信号ＳＤＣＳ及び走査駆動制御信ＳＳＣＳを生成する。タイミング制御部５０で生成されたデータ駆動制御信号ＳＤＣＳはデータ駆動部２０に供給され，走査駆動制御信号ＳＳＣＳは走査駆動部１０に供給される。そして，タイミング制御部５０は，外部から供給されるデータＤａｔａをデータ駆動部２０に供給する。
【０００８】
画像表示部３０は，外部から第１電源ＶＤ及び第２電源ＶＳを受ける。ここで，第１電源ＶＤ及び第２電源ＶＳは画素４０のそれぞれに供給される。それぞれの画素４０はデータ信号に対応する画像を表示する。そして，画素４０は，発光制御信号に応じて発光時間が制御される。
【０００９】
このように駆動される従来の発光表示装置において，それぞれの画素４０は走査線ＳＳ１〜ＳＳｎとデータ線ＳＤ１〜ＳＤｍの交差部に位置する。ここで，データ駆動部２０は，ｍ本のデータ線ＳＤ１〜ＳＤｍにそれぞれデータ信号を供給するため，ｍ本の出力線を有する。すなわち，従来の発光表示装置において，データ駆動部２０は，データ線ＳＤ１〜ＳＤｍと同一数の出力線を備えなければならない。
【００１０】
【特許文献１】特願２００４−１２９４４号公報
【特許文献２】特願２００４−１７０７６６号公報
【発明の開示】
【発明が解決しようとする課題】
【００１１】
しかしながら，データ駆動部２０の内部には，ｍ本の出力線を備えるために複数のデータ集積回路が含まれ，これにより製造費用が上昇する問題点が発生する。特に，画像表示部３０の解像度及びインチ数が大きくなるほど，データ駆動部２０はさらに多い出力線を有することになり，製造費用がさらに上昇する問題点があった。
【００１２】
そこで，本発明はこのような問題点に鑑みてなされたもので，その目的とするところは，データ駆動部の出力線数を減少させることのできる発光表示装置及び発光表示装置の駆動方法を提供することにある。
【課題を解決するための手段】
【００１３】
上記課題を解決するために，本発明のある観点によれば，１水平期間の第１期間中に走査線に走査信号を供給するための走査駆動部と，複数の出力線を有し，１水平期間の第１期間以外の第２期間中に，各々の出力線に複数のデータ信号を供給するためのデータ駆動部と，各々の出力線上に設けられ，出力線に供給された複数のデータ信号を複数のデータ線に各々供給するための複数のデマルチプレクサーと，走査線とデータ線とにより区画された領域に位置する複数の画素を有する画像表示部と，各々のデータ線に接続され，データ線に供給されるデータ信号に対応する電圧を充電するためのキャパシタと，を備えることを特徴とする，発光表示装置が提供される。
【００１４】
こうして，デマルチプレクサーにより，データ駆動部からの出力線に供給されるデータ信号を各々複数本のデータ線に供給することができるので，データ駆動部の出力線数を従来に比べて減少させることができる。
【００１５】
各々の画素は，複数のトランジスタを有し，トランジスタの少なくとも１つはダイオード素子として動作するように接続されることができ，ダイオード素子として動作するように接続されるトランジスタは，発光素子に電流を供給することができる。トランジスタの少なくとも１つをダイオード素子として動作するように接続することにより，トランジスタの閾値電圧を補償することができる。また，画素にデータ信号が供給されるときは，ダイオード素子として動作するように接続されたトランジスタに順方向バイアス電圧が印加されるように，初期化電源をトランジスタに印加することができる。
【００１６】
各々のデマルチプレクサーは，複数のデータ線の各々に接続される複数のスイッチング素子を有して，構成することができる。このとき，第２期間中に，複数のスイッチング素子を順次ターンオンさせるため，各々のスイッチング素子に制御信号を供給するためのデマルチプレクサー制御部をさらに備えることができる。
【００１７】
また，複数のスイッチング素子が順次ターンオンされるときは，データ信号に対応する電圧がキャパシタに順次貯蔵され，キャパシタに貯蔵された電圧は，第１期間中に画素に供給されるようにできる。データ信号に対応する電圧をキャパシタに順次充電し，充電された電圧を同時に画素に供給することができるので，キャパシタに充電された電圧が同時に画素に供給され，画素により均一な輝度を有する画像を表示することができる。
【００１８】
このときデータ駆動部は，第１期間中に，各々の出力線に，輝度に寄与しないダミーデータ信号を供給するとよい。たとえば，ｋ番目（ｋは自然数）の水平期間の第１期間中に供給されたダミーデータ信号は，ｋ−１番目の水平期間の第２期間に供給された最後のデータ信号とすることができる。ダミーデータ信号として第２期間に供給された最後のデータ信号を用いれば，データ駆動部のスイッチング回数を減らして消費電力を減少させることができる。
【００１９】
データ信号に対応する電圧が貯蔵されるキャパシタは，データ線のそれぞれに等価的に形成される寄生キャパシタであってもよいし，データ線のそれぞれに，さらに設けられる外部キャパシタであってもよい。
【００２０】
画素は，発光素子と，データ信号に応じて，発光素子に供給される電流を制御するための第1トランジスタと，第1トランジスタに接続され，データ信号に対応する電圧を充電するためのストレージキャパシタと，ｎ番目（ｎは自然数）の走査線とｎ番目のデータ線とに接続され，データ線から供給されるデータ信号をストレージキャパシタに伝達するための第２トランジスタと，を備えて構成することができる。
【００２１】
各々のデータ線に接続されるキャパシタの容量は，画素内のストレージキャパシタの容量より大きく設定されるとよく，データ線を通じて供給されるデータ信号に対応する電圧を充電することができる。
【００２２】
画素は，第２トランジスタと第１トランジスタとの間に接続され，ゲート端子とドレイン端子が電気的に接続される第３トランジスタと，ｎ−１番目の走査線により制御され，第３トランジスタ及び初期化電源に接続される第４トランジスタと，ｎ−１番目の走査線により制御され，発光素子及び第１トランジスタに接続される第５トランジスタと，をさらに備えて構成されるとよい。
【００２３】
または，画素は，ｎ番目の走査線と第１トランジスタのゲート端子及びドレイン端子とに接続される第６トランジスタと，発光制御線により制御される第７トランジスタ及び第８トランジスタと，ｎ−１番目の走査線にゲート端子及びドレイン端子が接続され，ソース端子が前記第１トランジスタのゲート端子に接続される第９トランジスタと，をさらに備えて構成されてもよい。
【００２４】
上記課題を解決するために，本発明の別の観点によれば，１水平期間の第１期間中に走査線に走査信号を供給する段階と，１水平期間の第１期間以外の第２期間中にデータ駆動部の各々の出力線に複数のデータ信号を供給する段階と，出力線に接続された複数のスイッチング素子が第２期間中に順次ターンオンされて，複数のデータ線にデータ信号を伝達する段階と，各々のデータ線に接続されたキャパシタに，データ信号に対応する電圧を充電する段階と，を含むことを特徴とする，発光表示装置の駆動方法が提供される。
【００２５】
こうして，上記発光表示装置を用い，データ駆動部からの出力線に供給されるデータ信号を各々複数本のデータ線に供給することができるので，データ駆動部の出力線数を従来に比べて減少させて駆動させることができる。
【００２６】
ここで，第２期間中にキャパシタに充電された電圧は，第２期間につながる第１期間中に走査線及びデータ線に接続される画素に供給されるとよい。走査信号が供給される走査期間とデータ信号が供給されるデータ期間が互いに重畳しないことにより安定に画像を表示することができる。
【００２７】
また，第１期間中に，データ駆動部の各々の出力線に，輝度に寄与しないダミーデータ信号を供給する段階をさらに含むことができる。ここで，ｋ番目（ｋは自然数）の水平期間の第１期間中に供給されたダミーデータ信号は，ｋ−１番目の水平期間の第２期間に供給された最後のデータ信号とするとよい。データ駆動部のスイッチング回数が減少して消費電力を減少できる。
【００２８】
ここで，キャパシタは，データ線のそれぞれに等価的に形成される寄生キャパシタであってもよいし，データ線のそれぞれに，さらに設けられる外部キャパシタであってもよい。キャパシタの容量は，各々の画素に含まれるストレージキャパシタの容量より大きく設定されるとよく，データ線を通じて供給されるデータ信号に対応する電圧を充電することができる。
【００２９】
さらに，本発明の別の観点によれば，  走査信号が供給される複数の走査線とデータ信号が供給される複数のデータ線との交差領域に，各々画素が形成される発光表示装置の駆動方法において；各々のデータ線に接続されたキャパシタに，データ信号に対応する電圧を充電する段階と，各々のキャパシタに充電された電圧を画素に同時に供給する段階と，を含むことを特徴とする，発光表示装置の駆動方法が提供される。同一時点にデータ信号を画素に供給することができるため，均一な輝度の画像を表示することができる。この時キャパシタは，１水平期間の第１期間に，データ信号に対応する電圧を充電するとよい。また，各々の画素は，１水平期間の第２期間に，キャパシタに充電された電圧を受けるとよい。
【発明の効果】
【００３０】
以上詳述したように本発明によれば，データ駆動部の１本の出力線に供給されるデータ信号を複数本のデータ線に分割して供給することができるので，出力線の数を低減することができ，これにより製造費用を節減することができる。
【発明を実施するための最良の形態】
【００３１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３２】
（第１の実施の形態）
図２は本実施の形態による発光表示装置を示す図である。図２に示すように，本実施の形態による発光表示装置は，走査駆動部１１０，データ駆動部１２０，画像表示部１３０，タイミング制御部１５０，複数のデマルチプレクサー１６２からなるデマルチプレクサーブロック部１６０，デマルチプレクサー制御部１７０，及びデータキャパシタＣｄａｔａ（キャパシタ）を備えている。
【００３３】
データ駆動部１２０は，タイミング制御部１５０から供給されるデータ駆動制御信号ＤＣＳに応じてデータ信号を生成し，生成されたデータ信号を第１データ線Ｄ１〜Ｄｍ／ｉ（出力線）に供給する。ここで，データ駆動部１２０は，それぞれの出力線ごとに接続された第１データ線Ｄ１〜Ｄｍ／ｉに，図４ａ及び図４ｂに示すように，ｉ個（ｉは２以上の自然数）またはｉ＋１個のデータ信号を順次供給する。
【００３４】
画像表示部１３０は，走査線Ｓ１〜Ｓｎと第２データ線ＤＬ１〜ＤＬｍ（データ線）とにより区画された領域に位置する複数の画素１４０を有する。それぞれの画素１４０は，第２データ線ＤＬから自身に供給されるデータ信号に対応する光を発生する。
【００３５】
走査駆動部１１０は，タイミング制御部１５０から供給される走査駆動制御信号ＳＣＳに応じて走査信号を生成し，生成された走査信号を走査線Ｓ１〜Ｓｎに順次供給する。ここで，走査駆動部１１０は，図４ａに示すように，走査信号を１水平期間（１Ｈ）の一部期間にだけ供給する。
【００３６】
これを詳細に説明すると，本実施の形態において，１水平期間（１Ｈ）は，走査期間（第１期間）及びデータ期間（第２期間）に分割される。走査駆動部１１０は，１水平期間（１Ｈ）のうち，走査期間中に走査線Ｓに走査信号を供給する。そして，走査駆動部１１０は，１水平期間（１Ｈ）のうち，データ期間中には走査信号を供給しない。一方，走査駆動部１１０は，走査駆動制御信号ＳＣＳに応じて発光制御信号を生成し，生成された発光制御信号を発光制御線Ｅ１〜Ｅｎに順次供給する。
【００３７】
これを詳細に説明すると，データ駆動部１２０は，１水平期間（１Ｈ）のうち，データ期間中に，実際画素に供給される，例えばデータ信号Ｒ，Ｇ，Ｂを順次供給する。ここで，実際画素に供給されるデータ信号Ｒ，Ｇ，Ｂがデータ期間にだけ供給されるため，実際画素に供給されるデータ信号Ｒ，Ｇ，Ｂと走査信号の供給時間が重畳しない。そして，データ駆動部１２０は，１水平期間（１Ｈ）のうち，走査期間中にはダミーデータ信号ＤＤを供給する。
【００３８】
ここで，ダミーデータ信号ＤＤは映像に寄与しないデータ信号であって，多様に設定可能である。実際に，ダミーデータ信号ＤＤは，図４ｂに示すように，直前のデータ期間の最後に印加されたデータ信号Ｂを選択してもよい。
【００３９】
すなわち，ｋ番目（ｋは自然数）の水平期間の走査期間中に供給されるダミーデータ信号は，ｋ−１番目の水平期間のデータ期間に供給された最後のデータ信号が選択できる。ダミーデータ信号ＤＤとして以前データ期間の最後に印加されたデータ信号Ｂが選択されると，データ駆動部１２０のスイッチング回数が減少して消費電力が減少する。
【００４０】
タイミング制御部１５０は，外部から供給される同期信号に応じてデータ駆動制御信号ＤＣＳ及び走査駆動制御信号ＳＣＳを生成する。タイミング制御部１５０で生成されたデータ駆動制御信号ＤＣＳはデータ駆動部１２０に供給され，走査駆動制御信号ＳＣＳは走査駆動部１１０に供給される。
【００４１】
デマルチプレクサーブロック部１６０はｍ／ｉ個のデマルチプレクサー１６２を有している。言い換えれば，デマルチプレクサーブロック部１６０は第１データ線Ｄ１〜Ｄｍ／ｉと同一数のデマルチプレクサー１６２を有し，それぞれのデマルチプレクサー１６２は第１データ線Ｄ１〜Ｄｍ／ｉのいずれか１本に接続される。そして，デマルチプレクサー１６２のそれぞれはｉ個の第２データ線ＤＬに接続される。このようなデマルチプレクサー１６２は，データ期間に供給されるｉ個のデータ信号をｉ個の第２データ線ＤＬに供給する。
【００４２】
このように，１本の第１データ線Ｄに供給されるデータ信号をｉ本の第２データ線ＤＬに供給すると，データ駆動部１２０に含まれた出力線の数が急激に減少する。例えば，ｉを３と仮定すると，データ駆動部１２０に含まれた出力線の数は従来の１／３に減少し，これにより，データ駆動部１２０の内部に含まれるデータ集積回路の数も減少する。すなわち，本実施の形態によると，デマルチプレクサー１６２により，１本の第１データ線Ｄに供給されるデータ信号をｉ本の第２データ線ＤＬに供給することにより，製造費用を節減することができる利点がある。
【００４３】
デマルチプレクサー制御部１７０は，第１データ線Ｄに供給されるｉ個のデータ信号がｉ個の第２データ線ＤＬに分割されて供給されるように，１水平期間のデータ期間中にｉ個の制御信号をデマルチプレクサー１６２のそれぞれに供給する。ここで，デマルチプレクサー制御部１７０から供給されるｉ個の制御信号は，図４ａに示すように，データ期間中に互いに重畳せずに順次供給される。
【００４４】
ここで，デマルチプレクサー制御部１７０がタイミング制御部１５０の外部に設けられたものと示しているが，他にも，デマルチプレクサー制御部１７０はタイミング制御部１５０の内部に設けることもできる。
【００４５】
データキャパシタＣｄａｔａは第２データ線ＤＬごとに設けられる。このようなデータキャパシタＣｄａｔａは，第２データ線ＤＬに供給されるデータ信号を一時貯蔵し，貯蔵したデータ信号を画素１４０に供給する。ここで，データキャパシタＣｄａｔａとしては，第２データ線ＤＬに等価的に形成される寄生キャパシタが利用できる。ただし，本実施の形態において，データキャパシタＣｄａｔａの容量は，図５に示すように，それぞれの画素１４０に含まれたストレージキャパシタＣｓｔの容量より大きく設定される。
【００４６】
図３は図２に示すデマルチプレクサーの内部回路を示す図である。図３においては，説明の便宜のため，ｉを３と仮定する。そして，図３に示すデマルチプレクサーは，一番目の第１データ線Ｄ１に接続されたと仮定する。図３に示すように，デマルチプレクサー１６２のそれぞれは，第１スイッチング素子（またはトランジスタ）Ｔ１，第２スイッチング素子Ｔ２，及び第３スイッチング素子Ｔ３の，スイッチング素子を有する。
【００４７】
第１スイッチング素子Ｔ１は一番目の第１データ線Ｄ１と一番目の第２データ線ＤＬ１間に接続される。このような第１スイッチング素子Ｔ１は，デマルチプレクサー制御部１７０から第１制御信号ＣＳ１が供給されることによりターンオンされ，一番目の第１データ線Ｄ１に供給されるデータ信号を一番目の第２データ線ＤＬ１に供給する。一番目の第２データ線ＤＬ１に供給されたデータ信号は第１データキャパシタＣｄａｔａ１に一時貯蔵される。
【００４８】
第２スイッチング素子Ｔ２は，一番目の第１データ線Ｄ１と二番目の第２データ線ＤＬ２間に接続される。このような第２スイッチング素子Ｔ２は，デマルチプレクサー制御部１７０から第２制御信号ＣＳ２が供給されることによりターンオンされ，一番目の第１データ線Ｄ１に供給されるデータ信号を二番目の第２データ線ＤＬ２に供給する。二番目の第２データ線ＤＬ２に供給されたデータ信号は第２データキャパシタＣｄａｔａ２に一時貯蔵される。
【００４９】
第３スイッチング素子Ｔ３は一番目の第１データ線Ｄ１と三番目の第２データ線ＤＬ３間に接続される。このような第３スイッチング素子Ｔ３は，デマルチプレクサー制御部１７０から第１制御信号ＣＳ１が供給されることによりターンオンされ，一番目の第１データ線Ｄ１に供給されるデータ信号を三番目の第２データ線ＤＬ３に供給する。三番目の第２データ線ＤＬ３に供給されたデータ信号は第３データキャパシタＣｄａｔａ３に一時貯蔵される。このようなデマルチプレクサー１６２の詳細な動作過程は画素１４０の構造とともに後述する。
【００５０】
図５は図２に示す画素の構造を示す回路図である。ここで，本実施の形態の画素の構造は図５に示す画素の構造に限定されなく，画素のそれぞれに含まれた少なくとも一つ以上のトランジスタがダイオード素子として用いられるように接続された全ての画素に適用することができる。
【００５１】
図５に示すように，画素１４０は，発光素子ＯＬＥＤと，第２データ線ＤＬ，走査線Ｓｎ及び発光制御線Ｅｎに接続され発光素子ＯＬＥＤを発光させるための画素回路１４２を有している。
【００５２】
発光素子ＯＬＥＤのアノード電極は画素回路１４２に接続され，カソード電極は第２電源ＶＳＳに接続される。第２電源ＶＳＳは第１電源ＶＤＤより低い電圧，例えば接地電圧などであり得る。発光素子ＯＬＥＤは，画素回路１４２から供給される電流に対応する光を生成する。このため，発光素子ＯＬＥＤは蛍光性または燐光性の少なくともいずれかを有する有機物質などで形成される。
【００５３】
画素回路１４２は，第１電源ＶＤＤとｎ−１走査線Ｓｎ−１間に接続されるストレージキャパシタＣｓｔ及びトランジスタＭ１６（第９トランジスタ）と，第１電源ＶＤＤとデータ線ＤＬ間に接続されるトランジスタＭ１２（第２トランジスタ）及びトランジスタＭ１４（第７トランジスタ）と，発光素子ＯＬＥＤと発光制御線Ｅｎに接続されるトランジスタＭ１５（第８トランジスタ）と，トランジスタＭ１５とトランジスタＭ１２及びトランジスタＭ１４の共通点である第１ノードＮ１との間に接続されるトランジスタＭ１１（第１トランジスタ）と，トランジスタＭ１１のゲート端子とドレイン端子間に接続される第３トランジスタＭ１３（第６トランジスタ）とを含む。
【００５４】
図４において，トランジスタＭ１１〜１６はＰ型ＭＯＳＦＥＴとして示されているが，これに限定されるものではない。ただし，トランジスタＭ１１〜１６がＮ型ＭＯＳＦＥＴから形成されると，当業者に広く知られているように，駆動波形の極性が反転される。
【００５５】
トランジスタＭ１１のソース端子は第１ノードＮ１に接続され，ドレイン端子はトランジスタＭ１５のソース端子に接続される。そして，トランジスタＭ１１のゲート端子はストレージキャパシタＣｓｔに接続される。このようなトランジスタＭ１１は，ストレージキャパシタＣｓｔに充電された電圧に対応する電流を発光素子ＯＬＥＤに供給する。
【００５６】
トランジスタＭ１３のドレイン端子はトランジスタＭ１１のゲート端子に接続され，ソース端子はトランジスタＭ１１のドレイン端子に接続される。そして，トランジスタＭ１３のゲート端子は第ｎ走査線Ｓｎに接続される。このようなトランジスタＭ１３は，第ｎ走査線Ｓｎに走査信号が供給されるときにターンオンされてトランジスタＭ１１をダイオード形態で接続させる。すなわち，トランジスタＭ１３がターンオンされるとき，トランジスタＭ１１はダイオード形態で接続される。
【００５７】
トランジスタＭ１２のソース端子はデータ線ＤＬに接続され，ドレイン端子は第１ノードＮ１に接続される。そして，トランジスタＭ１２のゲート端子は第ｎ走査線Ｓｎに接続される。このようなトランジスタＭ１２は，第ｎ走査線Ｓｎに走査信号が供給されるときにターンオンされ，データ線ＤＬに供給されるデータ信号を第１ノードＮ１に供給する。
【００５８】
トランジスタＭ１４のドレイン端子は第１ノードＮ１に接続され，ソース端子は第１電源ＶＤＤに接続される。そして，トランジスタＭ１４のゲート端子は発光制御線Ｅｎに接続される。このようなトランジスタＭ１４は，発光制御信号（ＥＭＩ）が供給されないときにターンオンされて，第１電源ＶＤＤと第１ノードＮ１を電気的に接続させる。
【００５９】
トランジスタＭ１５のソース端子は，トランジスタＭ１１のドレイン端子に接続され，ドレイン端子は発光素子ＯＬＥＤに接続される。そして，トランジスタＭ１５のゲート端子は発光制御線Ｅｎに接続される。このようなトランジスタＭ１５は，発光制御信号が供給されないときにターンオンされて，トランジスタＭ１１から供給される電流を発光素子ＯＬＥＤに供給する。
【００６０】
トランジスタＭ１６のソース端子はストレージＣｓｔに接続され，ドレイン端子及びゲート端子は第ｎ−１走査線Ｓｎ−１に接続される。このようなトランジスタＭ１６は，第ｎ−１走査線Ｓｎ−１に走査信号が供給されるときにターンオンされて，ストレージキャパシタＣｓｔ及びトランジスタＭ１１のゲート端子を初期化させる。
【００６１】
図６はデマルチプレクサーと画素の連結構造を詳細に示す図である。ここで，一つのデマルチプレクサーには赤色（Ｒ），緑色（Ｇ）及び青色（Ｂ）の画素が接続されると仮定する（すなわち，ｉ＝３）。
【００６２】
図４ａ及び図６に基づいて動作過程を詳細に説明する。まず，第１水平期間の走査期間中に第ｎ−１走査線Ｓｎ−１に走査信号が供給される。第ｎ−１走査線Ｓｎ−１に走査信号が供給されると，画素１４２Ｒ，１４２Ｇ，１４２Ｂのそれぞれに含まれたトランジスタＭ１６がターンオンされる。トランジスタＭ１６がターンオンされると，ストレージキャパシタＣｓｔ及びトランジスタＭ１１のゲート端子が第ｎ−１走査線Ｓｎ−１に接続される。
【００６３】
すなわち，第ｎ−１走査線Ｓｎ−１に走査信号が供給されると，画素１４２Ｒ，１４２Ｇ，１４２ＢのそれぞれのストレージキャパシタＣｓｔ及びトランジスタＭ１１のゲート端子に走査信号が供給されて初期化される。ここで，走査信号ＳＳはデータ信号より低い電圧値を有する。第ｎ−１走査線Ｓｎ−１に走査信号が供給されるとき，第ｎ走査線Ｓｎに接続されたトランジスタＭ１２はターンオフ状態を維持する。
【００６４】
その後，データ期間中に順次供給される第１制御信号ＣＳ１〜第３制御信号ＣＳ３に応じて，第１スイッチング素子Ｔ１，第２スイッチング素子Ｔ２及び第３スイッチング素子Ｔ３が順次ターンオンされる。第１制御信号ＣＳ１に応じて第１スイッチング素子Ｔ１がターンオンされると，一番目の第１データ線Ｄ１に供給されたデータ信号が一番目の第２データ線ＤＬ１に供給される。この際，第１データキャパシタＣｄａｔａ１には，一番目の第２データ線ＤＬ１に供給されたデータ信号に対応する電圧が充電される。
【００６５】
第２制御信号ＣＳ２に応じて第２スイッチング素子Ｔ２がターンオンされると，一番目の第１データ線Ｄ１に供給されたデータ信号が二番目の第２データ線ＤＬ２に供給される。この際，第２データキャパシタＣｄａｔａ２には，二番目の第２データ線ＤＬ２に供給されたデータ信号に対応する電圧が充電される。第３制御信号ＣＳ３に応じて第３スイッチング素子Ｔ３がターンオンされると，一番目の第１データ線Ｄ１に供給されたデータ信号が三番目の第２データ線ＤＬ３に供給される。
【００６６】
この際，第３データキャパシタＣｄａｔａ３には，三番目の第２データ線ＤＬ３に供給されたデータ信号に対応する電圧が充電される。一方，データ期間中に走査信号ＳＳが供給されないため，画素１４２Ｒ，１４２Ｇ，１４２Ｂにはデータ信号が供給されない。
【００６７】
その後，データ期間につながる走査期間中に第ｎ走査線Ｓｎに走査信号が供給される。第ｎ走査線Ｓｎに走査信号が供給されると，画素１４２Ｒ，１４２Ｇ，１４２Ｂのそれぞれに含まれたトランジスタＭ１２及びトランジスタＭ１３がターンオンされる。画素１４２Ｒ，１４２Ｇ，１４２Ｂのそれぞれに含まれたトランジスタＭ１２及びトランジスタＭ１３がターンオンされると，第１〜第３データキャパシタＣｄａｔａ１〜Ｃｄａｔａ３に貯蔵されたデータ信号に対応する電圧が画素１４２Ｒ，１４２Ｇ，１４２Ｂの第１ノードＮ１に供給される。
【００６８】
ここで，画素１４２Ｒ，１４２Ｇ，１４２Ｂに含まれたトランジスタＭ１１のゲート端子電圧は，第ｎ−１走査線Ｓｎ−１に供給された走査信号により初期化されたため（すなわち，第１ノードＮ１に印加されたデータ信号の電圧より低く設定されるため），トランジスタＭ１１がターンオンされる。トランジスタＭ１１がターンオンされると，第１ノードＮ１に印加されたデータ信号に対応する電圧がトランジスタＭ１１及びトランジスタＭ３を介してストレージキャパシタＣｓｔの一側に供給される。
【００６９】
この際，画素１４２Ｒ，１４２Ｇ，１４２ｂに含まれたストレージキャパシタＣｓｔには，データ信号に対応する電圧が充電される。そして，ストレージキャパシタＣｓｔには，データ信号に対応する電圧のほかに，トランジスタＭ１１のスレショルド電圧に相当する電圧がさらに充電される。その後，発光制御線Ｅｎに発光制御信号（ＥＭＩ）が供給されないとき，第４及び第５トランジスタＭ４，Ｍ５がターンオンされ，ストレージキャパシタＣｓｔに充電された電圧に対応する電流が発光素子ＯＬＥＤに供給されることにより，所定輝度の光が生成される。
【００７０】
すなわち，本実施の形態においては，デマルチプレクサー１６２により，１本の第１データ線Ｄ１に供給されるデータ信号をｉ個の第２データ線ＤＬに供給することができる利点がある。
【００７１】
さらに，データ期間中にデータキャパシタＣｄａｔａに，データ信号に対応する電圧を充電し，走査期間中に，データキャパシタＣｄａｔａに充電された電圧を画素に供給することにより，走査信号が供給される走査期間とデータ信号が供給されるデータ期間が互いに重畳しないので，トランジスタＭ１３のゲート端子の電圧が変動することなく，これにより安定に画像を表示することができる。
【００７２】
またさらに，データキャパシタＣｄａｔａに貯蔵された電圧を同時に画素に供給するため，すなわち同一時点にデータ信号を供給することができるため，均一な輝度の画像を表示することができる。
【００７３】
（第２の実施の形態）
第２の実施の形態は，画素回路が第１の実施の形態と異なるものであり，それ以外の構成は第１の実施の形態と同様であるので，説明を省略する。図７は，図２に示す画素の第２実施形態を示す回路図である。ここで，画素の構造は図７に示す画素の構造に限定されなく，画素のそれぞれに含まれた少なくとも一つ以上のトランジスタがダイオード素子として用いられるように接続された全ての画素に適用することができる。
【００７４】
図７に示すように，本実施の形態による画素１４０のそれぞれは，発光素子ＯＬＥＤ，第２データ線ＤＬ（データ線），及び走査線Ｓに接続され発光素子ＯＬＥＤを発光させるための画素回路１４４を有する。
【００７５】
発光素子ＯＬＥＤのアノード電極は画素回路１４４に接続され，カソード電極は第２電源ＶＳＳに接続される。第２電源ＶＳＳは第１電源ＶＤＤより低い電圧，例えば接地電圧などであり得る。発光素子ＯＬＥＤは，画素回路１４４から供給される電流に対応する光を生成する。このため，発光素子ＯＬＥＤは蛍光性または燐光性の少なくともいずれかを有する有機物質などで形成される。
【００７６】
画素回路１４４は，第２データ線ＤＬと第ｎ走査線Ｓｎに接続されたトランジスタＭ２（第２トランジスタ）と，トランジスタＭ２と初期化電源Ｖｉｎｔ間に接続されるトランジスタＭ３（第３トランジスタ）及びトランジスタＭ４（第４トランジスタ）と，第１電源ＶＤＤと発光素子ＯＬＥＤ間に接続されるトランジスタＭ１（第１トランジスタ）及びトランジスタＭ５（第５トランジスタ）と，トランジスタＭ１のソース端子とゲート端子間に接続されるストレージキャパシタＣｓｔとを含む。
【００７７】
図７において，トランジスタＭ１〜Ｍ４はＰ型ＭＯＳＦＥＴとして示され，トランジスタＭ５がＮ型ＭＯＳＦＥＴとして示されているが，本実施の形態がこれに限定されるものではない。ただし，トランジスタＭ５はトランジスタＭ１〜Ｍ４と異なる型のＭＯＳＦＥＴから形成される。そして，トランジスタＭ１〜Ｍ４がＮ型ＭＯＳＦＥＴで形成されると，当業者に広く知られているように，駆動波形の極性が反転される。
【００７８】
トランジスタＭ１のソース端子は第１電源ＶＤＤに接続され，ドレイン端子はトランジスタＭ５のソース端子に接続される。そして，トランジスタＭ１のゲート端子はトランジスタＭ３のゲート端子に接続される。このようなトランジスタＭ１は，ストレージキャパシタＣｓｔに充電された電圧に対応する電流を発光素子ＯＬＥＤに供給する。
【００７９】
トランジスタＭ５のドレイン端子は発光素子ＯＬＥＤに接続され，ゲート端子は第ｎ−１走査線Ｓｎ−１に接続される。このような第ｎ−１走査線Ｓｎ−１に走査信号が供給されないときにターンオンされ，トランジスタＭ１から供給される電流を発光素子ＯＬＥＤに供給する。トランジスタＭ５のゲート端子は走査線Ｓｎ−１に接続されるので，発光制御線Ｅｎを不要とすることができる。つまり，走査線Ｓｎ−１に供給される信号が発光制御線Ｅｎとして用いられる。
【００８０】
トランジスタＭ２のゲート端子は第ｎ走査線Ｓｎに接続され，ソース端子はデータ線ＤＬに接続される。そして，トランジスタＭ２のドレイン端子はトランジスタＭ３のソース端子に接続される。このようなトランジスタＭ２は，第ｎ走査線Ｓｎに走査信号が供給されるときにターンオンされ，データ線ＤＬに供給されるデータ信号をトランジスタＭ３に供給する。
【００８１】
トランジスタＭ３のドレイン端子はトランジスタＭ４のソース端子に接続される。そして，トランジスタＭ３のドレイン端子及びゲート端子は電気的に接続される。すなわち，トランジスタＭ３は，ドレイン端子及びゲート端子が電気的に接続されてダイオード素子として用いられる。
【００８２】
トランジスタＭ４のゲート端子は第ｎ−１走査線Ｓｎ−１に接続され，ドレイン端子は初期化電源Ｖｉｎｔに接続される。このようなトランジスタＭ４は，第ｎ−１走査線Ｓｎ−１に走査信号が供給されるときにターンオンされて，初期化電源ＶｉｎｔをトランジスタＭ３に供給する。
【００８３】
図８は，デマルチプレクサーと図７に示す画素の連結構造を詳細に示す図である。ここで，一つのデマルチプレクサー１６２には赤色（Ｒ），緑色（Ｇ）及び青色（Ｂ）の画素が接続されると仮定する（すなわち，ｉ＝３）。
【００８４】
図４ａ及び図８に基づいて動作過程を詳細に説明する。まず，第１水平期間の走査期間中に第ｎ−１走査線Ｓｎ−１に走査信号が供給される。第ｎ−１走査線Ｓｎ−１に走査信号が供給されると，画素１４４Ｒ，１４４Ｇ，１４４Ｂのそれぞれに含まれたトランジスタＭ４がターンオンされる。トランジスタＭ４がターンオンされると，ストレージキャパシタＣｓｔの一側端，トランジスタＭ１のゲート端子及びトランジスタＭ３のゲート端子が初期化電源Ｖｉｎｔに接続される。
【００８５】
すなわち，トランジスタＭ４がターンオンされると，ストレージキャパシタＣｓｔの一側端，トランジスタＭ１のゲート端子及びトランジスタＭ３のゲート端子に初期化電源Ｖｉｎｔが供給されて初期化される。ここで，初期化電源Ｖｉｎｔはデータ駆動部１２０から供給可能なデータ信号の最低電圧からトランジスタＭ３のスレショルド電圧を差し引いた他電圧より低く設定される。
【００８６】
第ｎ−１走査線Ｓｎ−１に走査信号が供給されるとき，第ｎ走査線Ｓｎに接続されたトランジスタＭ２はターンオフ状態を維持する。その後，データ期間中に順次供給される第１制御信号ＣＳ１〜第３制御信号ＣＳ３に応じて，第１スイッチング素子Ｔ１，第２スイッチング素子Ｔ２及び第３スイッチング素子Ｔ３が順次ターンオンされる。
【００８７】
第１制御信号ＣＳ１に応じて第１スイッチング素子Ｔ１がターンオンされると，一番目の第１データ線Ｄ１に供給されたデータ信号が一番目の第２データ線ＤＬ１に供給される。この際，第１データキャパシタＣｄａｔａ１には，一番目の第２データ線ＤＬ１に供給されたデータ信号に対応する電圧が充電される。
【００８８】
第２制御信号ＣＳ２に応じて第２スイッチング素子Ｔ２がターンオンされると，一番目の第１データ線Ｄ１に供給されたデータ信号が二番目の第２データ線ＤＬ２に供給される。この際，第２データキャパシタＣｄａｔａ２には，二番目の第２データ線ＤＬ２に供給されたデータ信号に対応する電圧が充電される。
【００８９】
第３制御信号ＣＳ３に応じて第３スイッチング素子Ｔ３がターンオンされると，一番目の第１データ線Ｄ１に供給されたデータ信号が三番目の第２データ線ＤＬ３に供給される。この際，第３データキャパシタＣｄａｔａ３には，三番目の第２データ線ＤＬ３に供給されたデータ信号に対応する電圧が充電される。一方，データ期間中に走査信号ＳＳが供給されないため，画素１４４Ｒ，１４４Ｇ，１４４Ｂにはデータ信号が供給されない。
【００９０】
その後，データ期間につながる走査期間中に第ｎ走査線Ｓｎに走査信号が供給される。第ｎ走査線Ｓｎに走査信号が供給されると，画素１４４Ｒ，１４４Ｇ，１４４Ｂのそれぞれに含まれたトランジスタＭ２がターンオンされる。
【００９１】
トランジスタＭ２がターンオンされると，第１〜第３データキャパシタＣｄａｔａ１〜Ｃｄａｔａ３に貯蔵されたデータ信号に対応する電圧が，画素１４４Ｒ，１４４Ｇ，１４４Ｂのそれぞれに含まれたトランジスタＭ３のソース端子に供給される。
【００９２】
この際，トランジスタＭ３のゲート端子は初期化電源Ｖｉｎｔにより初期化されたので（すなわち，ソース端子より低い電圧を有するため），ターンオンされる。トランジスタＭ３がターンオンされると，データ信号がトランジスタＭ３のゲート端子，つまりストレージキャパシタＣｓｔの一側端に供給される。
【００９３】
この際，画素１４４Ｒ，１４４Ｇ，１４４Ｂのそれぞれに含まれたストレージキャパシタＣｓｔには，データ信号に対応する電圧が充電される。そして，ストレージキャパシタＣｓｔには，データ信号に対応する電圧のほかに，トランジスタＭ１のスレショルド電圧に相当する電圧がさらに充電される。
【００９４】
すなわち，本実施の形態においては，デマルチプレクサー１６２により，１本の第１データ線Ｄ１に供給されるデータ信号をｉ個の第２データ線ＤＬに供給することができる利点がある。また，トランジスタＭ５のゲート端子は走査線Ｓｎ−１に接続されるので，発光制御線Ｅｎを不要とすることができる。
【００９５】
そして，データ期間中にデータキャパシタＣｄａｔａに，データ信号に対応する電圧を充電し，走査期間中に，データキャパシタＣｄａｔａに充電された電圧を画素に供給するので，走査信号が供給される走査期間とデータ信号が供給されるデータ期間が互いに重畳せず，トランジスタＭ３のゲート端子の電圧が変動しないので，安定に画像を表示することができる。
【００９６】
また，データキャパシタＣｄａｔａに貯蔵された電圧を同時に画素に供給するため，すなわち同一時点にデータ信号を供給することができるため，均一な輝度の画像を表示することができる。
【００９７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９８】
本発明は，走査線とデータ線との交差領域に画素が形成される発光表示装置及び発光表示装置の駆動方法に適用可能である。
【図面の簡単な説明】
【００９９】
【図１】従来の発光表示装置を示す説明図である。
【図２】第１及び第２の実施の形態による発光表示装置を示す説明図である。
【図３】図２のデマルチプレクサーの詳細に示す説明図である。
【図４ａ】走査線，データ線及びデマルチプレクサーに供給される波形を示す波形図である。
【図４ｂ】走査線，データ線及びデマルチプレクサーに供給される波形を示す波形図である。
【図５】図２に示す画素の第１の実施の形態を示す回路図である。
【図６】図３に示すデマルチプレクサーと図５に示す画素の連結構造を示す回路図である。
【図７】図２に示す画素の第２の実施の形態を示す回路図である。
【図８】図３に示すデマルチプレクサーと図７に示す画素の連結構造を示す回路図である。
【符号の説明】
【０１００】
１１０      走査駆動部
１２０      データ駆動部
１３０      画像表示部
１４２      画素回路
１４０      画素
１５０      タイミング制御部
１６０      デマルチプレクサーブロック部
１６２      デマルチプレクサー
１７０      デマルチプレクサー制御部
【図１】
2006065286.tif 000003
【図２】
2006065286.tif 000004
【図３】
2006065286.tif 000005
【図４ａ】
2006065286.tif 000006
【図４ｂ】
2006065286.tif 000007
【図５】
2006065286.tif 000008
【図６】
2006065286.tif 000009
【図７】
2006065286.tif 000010
【図８】
2006065286.tif 000011